(57)【要約】【課題】簡単な構造で、培養液の貯留量を少なくし、複数の植物の茎から発芽した新芽に充分な光を届けて成長を良好にし、多段に配置することが可能で面積当たりの栽培効率を大幅に増加させるとともに、複数の植物の茎を支持する間隔を小さくする栽培容器を提供すること。【解決手段】植物Ｐを栽培する培養液Ｗを貯留する容器本体１１０と、植物Ｐの茎を複数保持する植物保持部とを有する栽培容器１００であって、植物Ｐの茎の一方の端部が容器本体１１０に貯留された培養液Ｗに完全に浸漬し、他方の端部が培養液Ｗの水面上に完全に露出するよう傾斜保持可能に構成されていること。【選択図】図１
2012085584.tif 000002
【特許請求の範囲】
【請求項１】
植物を栽培する培養液を貯留する容器本体と、植物の茎を複数保持する植物保持部とを有する栽培容器であって、
前記植物保持部が、植物の茎を、その一方の端部が前記容器本体に貯留された培養液に完全に浸漬し、その他方の端部が前記容器本体に貯留された培養液の水面上に完全に露出するよう傾斜保持可能に構成されていることを特徴とする栽培容器。
【請求項２】
前記植物保持部が、複数の植物の茎を傾斜して載置する載置部と、該載置部を平行に区画する仕切壁とを有することを特徴とする請求項１に記載の栽培容器。
【請求項３】
前記載置部が、前記容器本体の底部からつながる傾斜面で形成されていることを特徴とする請求項２に記載の栽培容器。
【請求項４】
前記仕切壁が、前記載置部と一体に形成されていることを特徴とする請求項２または請求項３に記載の栽培容器。
【請求項５】
前記植物保持部が、複数の植物の茎を載置する載置部と、該載置部を平行に区画する仕切壁とを有し、
前記仕切壁が、その上端部で植物の茎を挟みこんで保持可能なスリットを形成するように載置部の上部まで張り出して形成されていることを特徴とする請求項１に記載の栽培容器。
【請求項６】
前記載置部が、前記植物の茎の他端部側のみを載置する凸部で構成されていることを特徴とする請求項１または請求項２に記載の栽培容器。
【請求項７】
前記載置部が、前記容器本体の底部から傾斜して設けられた載置棒で構成されていることを特徴とする請求項１または請求項２に記載の栽培容器。
【請求項８】
前記容器本体の前記植物保持部の端部に、培養液を通し植物から成長した根を通さない端壁部を有することを特徴とする請求項１乃至請求項７のいずれかに記載の栽培容器。
【発明の詳細な説明】
【技術分野】
【０００１】
本発明は、植物を栽培する培養液を貯留する容器本体と、植物の茎を複数保持する植物保持部とを有する栽培容器に関するものである。
【背景技術】
【０００２】
従来、果樹や花木あるいは樹木等の苗を育成する方法として、植物の茎の一部を切り取って、当該茎から新たな根、茎、葉を成長させる方法が広く知られており、この方法を応用して、培養液を貯留する栽培容器に植物の茎を複数保持して成長させる方法、いわゆる水耕栽培も公知である。
【０００３】
公知の水耕栽培の栽培容器は、容器本体に植物を栽培する培養液を貯留し、該容器本体に複数の植物の茎を立てて支持し、植物の茎の一方の端部が培養液に浸漬され、他方の端部が培養液の上方に延びるように構成されている（例えば、特許文献１参照。）。
【先行技術文献】
【特許文献】
【０００４】
【特許文献１】特開平９−８４４６１号公報（全頁、全図）
【発明の概要】
【発明が解決しようとする課題】
【０００５】
しかしながら、新芽が茎の途中から発芽した場合も多く、複数の植物の茎を立てて支持するようにした公知の栽培容器で栽培した場合、上方からの光が届きにくく成長が不良となるおそれがあった。
特に、植物の茎を立てて支持する際の支持体より下の部分から発芽した場合には、十分な光が届かない上に、支持体が成長の妨げとなるという問題があった。
【０００６】
また、栽培容器を多段に設置する際にも、植物の茎を立てて支持するためには各段の間隔を植物の茎の長さに新芽の成長分を加えたサイズ以上とする必要があり、面積当たりの栽培効率を大幅に増加させることができないという問題があった。
【０００７】
また、植物の茎の端部を一定の深さまで培養液に浸漬する必要があるため、栽培容器をある程度深くする必要があるとともに、その分、培養液の貯留量も多くしなければならないという問題があった。
さらに、栽培容器内で成長する根が側方に拡がるため、複数の植物の茎から伸びた根が互いに絡み、栽培容器から取り出す際の作業に手間がかかるとともに、根が損傷する虞もあった。また、互いに絡まないようにするためには、さらに間隔を開けて支持する必要があった。
【０００８】
本発明は、前述したような従来技術の問題を解決するものであって、すなわち、本発明の目的は、簡単な構造で、培養液の貯留量を少なくし、複数の植物の茎から発芽した新芽に充分な光を届けて成長を良好にし、多段に配置することが可能で面積当たりの栽培効率を大幅に増加させるとともに、複数の植物の茎を支持する間隔を小さくする栽培容器を提供することである。
【課題を解決するための手段】
【０００９】
本請求項１に係る発明は、植物を栽培する培養液を貯留する容器本体と、植物の茎を複数保持する植物保持部とを有する栽培容器であって、前記植物保持部が、植物の茎を、その一方の端部が前記容器本体に貯留された培養液に完全に浸漬し、その他方の端部が前記容器本体に貯留された培養液の水面上に完全に露出するよう傾斜保持可能に構成されていることにより、前記課題を解決するものである。
【００１０】
本請求項２に係る発明は、請求項１に記載された栽培容器の構成に加えて、前記植物保持部が、複数の植物の茎を傾斜して載置する載置部と、該載置部を平行に区画する仕切壁とを有することにより、前記課題をさらに解決するものである。
【００１１】
本請求項３に係る発明は、請求項２に記載された栽培容器の構成に加えて、前記載置部が、前記容器本体の底部からつながる傾斜面で形成されていることにより、前記課題をさらに解決するものである。
【００１２】
本請求項４に係る発明は、請求項２または請求項３に記載された栽培容器の構成に加えて、前記仕切壁が、前記載置部と一体に形成されていることにより、前記課題をさらに解決するものである。
【００１３】
本請求項５に係る発明は、請求項１に記載された栽培容器の構成に加えて、前記植物保持部が、複数の植物の茎を載置する載置部と、該載置部を平行に区画する仕切壁とを有し、前記仕切壁が、その上端部で植物の茎を挟みこんで保持可能なスリットを形成するように載置部の上部まで張り出して形成されていることにより、前記課題をさらに解決するものである。
【００１４】
本請求項６に係る発明は、請求項１または請求項２に記載された栽培容器の構成に加えて、前記載置部が、前記植物の茎の他端部側のみを載置する凸部で構成されていることにより、前記課題をさらに解決するものである。
【００１５】
本請求項７に係る発明は、請求項１または請求項２に記載された栽培容器の構成に加えて、前記載置部が、前記容器本体の底部から傾斜して設けられた載置棒で構成されていることにより、前記課題をさらに解決するものである。
【００１６】
本請求項８に係る発明は、請求項１乃至請求項７のいずれかに記載された栽培容器の構成に加えて、前記容器本体の前記植物保持部の端部に、培養液を通し植物から成長した根を通さない端壁部を有することにより、前記課題をさらに解決するものである。
【発明の効果】
【００１７】
本発明の栽培容器は、植物を栽培する培養液を貯留する容器本体と、植物の茎を複数保持する植物保持部とを有することにより、植物の茎の一部を切り取って、当該茎から新たな根、茎、葉を成長させて果樹や花木あるいは樹木等の苗を育成することができるとともに、以下のような格別の効果を奏することができる。
【００１８】
すなわち、本請求項１に係る発明の栽培容器は、植物保持部が、植物の茎を、その一方の端部が容器本体に貯留された培養液に完全に浸漬し、その他方の端部が容器本体に貯留された培養液の水面上に完全に露出するよう傾斜保持可能に構成されていることにより、新たな茎や葉が、茎の途中のどの場所から発芽した場合でも、上方からの光を充分に届けることができ、植物の成長が良好となる。
【００１９】
また、栽培容器を多段に設置する際、植物の茎が長くても傾斜させることで高さ方向に低いサイズで支持できるため、各段の間隔を小さくすることができ、面積当たりの栽培効率を大幅に増加させることができる。
さらに、容器本体に貯留する培養液の深さを植物の茎の太さよりやや大きい程度とすればよく、培養液の貯留量を少なくすることができる。
【００２０】
本請求項２に係る発明の栽培容器は、請求項１に係る栽培容器が奏する効果に加えて、植物保持部が、複数の植物の茎を傾斜して載置する載置部と、該載置部を平行に区画する仕切壁とを有することにより、植物の茎を載置部に載置するだけで複数の植物の茎を所定の間隔で整列させて保持することができるため、作業が極めて容易になる。
【００２１】
また、隣り合う植物の茎から発芽した新芽の間隔を離すことができるため、成長した葉が重なることが防止され、成長した葉に上方からの光を充分に届けることができ、植物の成長が良好となる。
【００２２】
本請求項３に係る発明の栽培容器は、請求項２に係る栽培容器が奏する効果に加えて、載置部が、容器本体の底部からつながる傾斜面で形成されていることにより、載置するだけで容易に植物の茎の傾斜角度を一定とすることができ、複数の植物の茎を均等な条件で栽培することができる。
また、植物の茎は完全な円筒体ではないため、載置面上に載置することで転がることなく安定的に支持することができる。
【００２３】
本請求項４に係る発明の栽培容器は、請求項２または請求項３に係る栽培容器が奏する効果に加えて、仕切壁が載置部と一体に形成されていることにより、栽培容器全体の部品点数が少なくなり、簡単な構造とすることができる。
【００２４】
本請求項５に係る発明の栽培容器は、請求項１に係る栽培容器が奏する効果に加えて、植物保持部が、複数の植物の茎を載置する載置部と、該載置部を平行に区画する仕切壁とを有し、仕切壁が、その上端部で植物の茎を挟みこんで保持可能なスリットを形成するように載置部の上部まで張り出して形成されていることにより、複数の植物の茎のサイズや形状が異なる場合でも、植物の茎を個別に最適な位置、角度に支持することが可能となり、植物の成長が良好となる。
【００２５】
本請求項６に係る発明の栽培容器は、請求項１または請求項２に係る栽培容器が奏する効果に加えて、載置部が植物の茎の他端部側のみを載置する凸部で構成されていることにより、より簡単な構造とすることができる。
【００２６】
本請求項７に係る発明の栽培容器は、請求項１または請求項２に係る栽培容器が奏する効果に加えて、載置部が容器本体の底部から傾斜して設けられた載置棒で構成されていることにより、植物の茎が円筒に近い形状であっても、簡単な構成で転がることなく、確実に間隔を保持して安定的に支持することができる。
【００２７】
本請求項８に係る発明の栽培容器は、請求項１乃至請求項７のいずれかに係る栽培容器が奏する効果に加えて、容器本体の植物保持部の端部に、培養液を通し植物から成長した根を通さない端壁部を有することにより、複数の植物の茎の長手方向への移動を阻止することができ、より傾斜角や姿勢を安定して支持することができる。
【００２８】
また、仕切壁を端壁部に隣接するように設けた場合、栽培容器内で成長する複数の植物の茎から伸びた根が、仕切壁と端壁部によって成長方向を制限されるため、根が側方に拡がって互いに絡むことを防止することできる。
【図面の簡単な説明】
【００２９】
【図１】本発明の第１実施例である栽培容器の斜視説明図。
【図２】図１の側方視断面図。
【図３】図１の正面視断面図。
【図４】本発明の第１実施例である栽培容器の第１変形例の正面視断面図。
【図５】本発明の第１実施例である栽培容器の第２変形例の正面視断面図。
【図６】本発明の第１実施例である栽培容器の第３変形例の斜視説明図。
【図７】図６の側方視断面図。
【図８】本発明の第２実施例である栽培容器の側方視断面図。
【図９】図８の正面視断面図。
【図１０】本発明の第２実施例である栽培容器の第１変形例の正面視断面図。
【図１１】本発明の第３実施例である栽培容器の側方視断面図。
【図１２】本発明の第４実施例である栽培容器の載置部の拡大図。
【発明を実施するための形態】
【００３０】
本発明の栽培容器は、植物を栽培する培養液を貯留する容器本体と、植物の茎を複数保持する植物保持部とを有する栽培容器であって、植物保持部が、植物の茎を、その一方の端部が容器本体に貯留された培養液に完全に浸漬し、その他方の端部が容器本体に貯留された培養液の水面上に完全に露出するよう傾斜保持可能に構成されるものであり、簡単な構造で、培養液の貯留量を少なくし、複数の植物の茎から発芽した新芽に充分な光を届けて成長を良好にし、多段に配置することが可能で面積当たりの栽培効率を大幅に増加させるとともに、複数の植物の茎を支持する間隔を小さくすることができるものであれば、その具体的な実施態様はいかなるものであっても何ら構わない。
【００３１】
すなわち、本発明の栽培容器は、植物の茎から栽培するものであれば、果樹や花木あるいは樹木等のいかなる植物を栽培するものであっても良く、成長後、いかなる状態で栽培容器での栽培を完了するものであっても良い。
【００３２】
また、本発明の栽培容器は、屋内、屋外のいずれに設置されるものであっても良く、特に、屋内に設置された栽培装置に多段に配置されて人工照明により栽培するものが好適である。
【実施例１】
【００３３】
以下に、本発明の実施例である栽培容器について図面に基づいて説明する。
本発明の第１実施例である栽培容器１００は、図１乃至図３に示すように、培養液Ｗを貯留可能な浅いトレー状の容器本体１１０に、植物Ｐの茎を傾斜して載置する載置部１２０と該載置部１２０を平行に区画する仕切壁１３０とを有する植物保持部が内装されている。
【００３４】
植物Ｐの茎を傾斜して載置する載置部１２０は、植物Ｐの茎の一方の端部が容器本体１１０に貯留された培養液Ｗに完全に浸漬し、植物Ｐの茎の他方の端部が容器本体１１０に貯留された培養液Ｗの水面上に完全に露出するよう傾斜保持可能に構成されている。
【００３５】
容器本体１１０の載置部１２０の端部側には、培養液Ｗを通し植物Ｐから成長した根を通さない端壁部１４０が設けられており、植物Ｐの茎の長手方向への移動を阻止することができ、その傾斜角や姿勢を安定して支持するように構成されている。
【００３６】
また、載置部１２０を平行に区画する仕切壁１３０によって仕切られた１区分ごとに、植物Ｐの茎を１本ずつ載置することにより、複数の植物Ｐの茎を所定の間隔に維持することができる。
【００３７】
本実施例では、載置部１２０と仕切壁１３０が一体に形成されており、端壁部１４０が載置部１２０の端部から離れた位置に設けられているが、載置部１２０と仕切壁１３０を別体として設けても良い。
また、図６、図７に示すように、載置部１７０および仕切壁１８０を端壁部１４０に当接する構造とすることで、端壁部１９０と仕切壁１８０によって各区画が隙間なく囲まれ、植物Ｐの茎から伸びた根が成長方向を制限されるため、側方に拡がって互いに絡むことを防止することできる。
【００３８】
なお、端壁部１４０の材質は、目の細かい金網等の金属、スポンジ等の多孔性の樹脂等、いかなるものであっても良い。
また、上記実施例では仕切壁１３０、１８０を２列として載置部１２０、１７０を３つに区分したものを示しているが、容器本体１１０の横方向の寸法や、植物Ｐの茎を最適に栽培するための間隔に応じて、いかなる列数でも良い。
【００３９】
さらに、植物保持部の構造は、図４に示すように、１枚の板状部材で断面三角形状の徐々に深くなる溝を形成して載置部１２１と仕切壁１３１の機能を持たせたものや、図５に示すように、１枚の板状部材で波型の徐々に深くなる溝を形成して載置部１２２と仕切壁１３２の機能を持たせたものでも良い。
【実施例２】
【００４０】
本発明の第２実施例である栽培容器２００は、図７、図８に示すように、培養液Ｗを貯留可能な浅いトレー状の容器本体２１０に、植物Ｐの茎を載置する載置部２２０と該載置部２２０を平行に区画する仕切壁２３０とを有する植物保持部が内装されている。
【００４１】
仕切壁２３０の上端部には植物Ｐの茎を挟みこんで保持可能なスリットを形成するように載置部２２０の上部まで張り出して形成される挟持部２３２が形成されており、植物Ｐの茎が挟持部２３２により任意の傾斜角度で挟みこまれて、一方の端部が容器本体２１０に貯留された培養液Ｗに完全に浸漬し、植物Ｐの茎の他方の端部が容器本体２１０に貯留された培養液Ｗの水面上に完全に露出して、その傾斜角や姿勢を安定して支持するように構成されている。
【００４２】
挟持部２３２は、植物Ｐの茎を損傷することなく、かつ安定的に保持するための所定の弾性を持つ材料で形成される。
また、植物Ｐの茎は、挟持部２３２により挟み込まれてその傾斜角や姿勢を安定して支持されるため、載置部２２０を傾斜させる必要はない。
【００４３】
なお、容器本体２１０の載置部２２０の端部側には、端壁部２４０が載置部２２０に隣接して設けられており、植物Ｐの茎から伸びた根が成長方向を制限されるため、側方に拡がって互いに絡むことを防止することできる。
【００４４】
また、植物保持部の構造は、図１０に示すように、１枚の板状部材にスリット部を設けその下方に植物Ｐの茎より太いサイズの溝を形成して載置部２２１、仕切壁２３１および挟持部２３３の機能を持たせたものでも良い。
【実施例３】
【００４５】
本発明の第３実施例である栽培容器３００は、図１１に示すように、培養液Ｗを貯留可能な浅いトレー状の容器本体３１０に、植物Ｐの茎の一方の端部のみを載置する凸部３２０と植物保持部を平行に区画する仕切壁３３０とを有する。
植物Ｐの茎の他方の端部は、培養液Ｗを通し植物Ｐから成長した根を通さない端壁部３４０に当接することにより所定の傾斜で支持され、非常に簡単な構造とすることができる。
なお、凸部３２０の上面には、植物Ｐの茎を安定して載置するための凹凸を設けても良い。
【実施例４】
【００４６】
本発明の第４実施例である栽培容器は、第１実施例の載置部１２０と仕切壁１３０に代えて、図１１、図１２に示すように、複数の平行な載置棒３２１を傾斜して設けるものである。
このことで、植物Ｐの茎が円筒に近い形状であっても、簡単な構成で転がることなく、確実に間隔を保持して安定的に支持することができる。
また、載置棒３２１を多数平行に設けることで、条件に応じて、植物Ｐの茎を置く本数、間隔を任意に選択することが可能となる。
【００４７】
以上説明したように、本発明によれば、簡単な構造で、培養液の貯留量を少なくし、複数の植物の茎から発芽した新芽に充分な光を届けて成長を良好にし、多段に配置することが可能で面積当たりの栽培効率を大幅に増加させるとともに、複数の植物の茎を支持する間隔を小さくする栽培容器を提供することができる。
【００４８】
なお、上記各実施例を示す図面は、本願発明、および各実施例の機能の説明のために簡略化したものであり、その形状、寸法等は実際のものを示すものではない。
【符号の説明】
【００４９】
１００、２００、３００  ・・・栽培容器
１１０、２１０、３１０  ・・・容器本体
１２０、２２０          ・・・載置部
１２１、２２１          ・・・載置部
１２２                  ・・・載置部
３２０  ・・・凸部
３２１  ・・・載置棒
１３０、２３０          ・・・仕切壁
１３１、２３１          ・・・仕切壁
１３２                  ・・・仕切壁
１７０                  ・・・載置部
１８０                  ・・・仕切壁
２３２          ・・・挟持部
２３３          ・・・挟持部
１４０、２４０、３４０  ・・・端壁部
Ｐ                    ・・・植物
Ｗ                    ・・・培養液
【図１】
2012085584.tif 000003
【図２】
2012085584.tif 000004
【図３】
2012085584.tif 000005
【図４】
2012085584.tif 000006
【図５】
2012085584.tif 000007
【図６】
2012085584.tif 000008
【図７】
2012085584.tif 000009
【図８】
2012085584.tif 000010
【図９】
2012085584.tif 000011
【図１０】
2012085584.tif 000012
【図１１】
2012085584.tif 000013
【図１２】
2012085584.tif 000014